(57)【要約】【課題】幅を自在に調整できる愛玩動物用トレーを得る。【解決手段】周縁の一部に凸壁６を有する複数の板材３、５を、その一部を重ね合わせることによって形成される周縁部に凸壁を有する愛玩動物用トレーであって、前記複数の板材３、５における重ね合わせる長さを調整することによってトレー幅を調整可能に構成されていることを特徴とするものである。  また、幅方向に伸縮機能を有するサークルの下方に設置する愛玩動物用トレーであって、前記サークルの幅方向の伸縮ピッチと前記愛玩動物用トレーの幅方向の伸縮ピッチが同一のピッチに設定されていることを特徴とするものである。【選択図】図１
2008118932.tif 000002
【特許請求の範囲】
【請求項１】
周縁の一部に凸壁を有する複数の板材を、その一部を重ね合わせることによって形成される周縁部に凸壁を有する愛玩動物用トレーであって、前記複数の板材における重ね合わせる長さを調整することによってトレー幅を調整可能に構成されていることを特徴とする愛玩動物用トレー。
【請求項２】
サークルの下方に設置する愛玩動物用トレーであって、トレー幅を調整可能に構成されていることを特徴とする愛玩動物用トレー。
【請求項３】
幅方向に調整機能を有するサークルの下方に設置する愛玩動物用トレーであって、前記サークルの幅方向の調整ピッチと前記愛玩動物用トレーの幅方向の調整ピッチが同一のピッチに設定されていることを特徴とする請求項２に記載の愛玩動物用トレー。
【請求項４】
愛玩動物用トレーは複数の凹凸部を有する板材からなり、これら複数の板材の一部を重ね合わせて凹凸を嵌合させて連結するように構成されていることを特徴とする請求項１〜３のいずれか一項に記載の愛玩動物用トレー。
【発明の詳細な説明】
【技術分野】
【０００１】
本発明は、単独で床面に設置し、あるいは愛玩動物を収容する愛玩動物用サークルの下方に設置して床の汚れを防止するために使用する愛玩動物用トレーに関する。
【背景技術】
【０００２】
愛玩動物を飼育する場合に愛玩動物を収容する器具として、枠体に線材を設置した柵で四面が形成され、底部の無い囲いからなる愛玩動物用サークルが知られている。このような愛玩動物用サークルを室内で使用する場合には、床面の汚れを防止するためにトレーが設置される。
【０００３】
また、線材から四面が形成された小型のサークルの底部に全面にトイレシーツを設置してトイレと兼用するトレーが知られている（特許文献１参照）。
【特許文献１】特開２００６−２１７８５５号公報
【発明の開示】
【発明が解決しようとする課題】
【０００４】
従来、幅を自在に変えることができる愛玩動物用サークルは提案されておらず、そのため愛玩動物用トレーもその大きさを変えることができるものは知られていない。
また、特許文献１に示されたトイレと兼用のトレーの場合には、トイレシーツを敷くためそのトイレシーツの大きさに限定されるという事情から、やはりトイレの幅を自在に変更できるものは知られていない。
【０００５】
愛玩動物、例えば犬を飼育する場合を想定すると、子犬の成長や設置スペースに合わせてサークルの大きさを自在に変えることができれば便宜であり、この点に着目して発明者は幅の調整を多段階にできる愛玩動物用サークルの開発を行った。
しかし、サークルの幅を自在に調整できたとしても、愛玩動物用トレーの幅が固定であれば、好ましくない。
そこで、幅を自在に変えることができる愛玩動物用トレーの開発が望まれていた。
【０００６】
本発明はかかる課題を解決するためになされたものであり、幅を自在に調整できる愛玩動物用トレーを得ることを目的としている。
【課題を解決するための手段】
【０００７】
（１）本発明に係る愛玩動物用トレーは、周縁の一部に凸壁を有する複数の板材を、その一部を重ね合わせることによって形成される周縁部に凸壁を有する愛玩動物用トレーであって、前記複数の板材における重ね合わせる長さを調整することによってトレー幅を調整可能に構成されていることを特徴とするものである。
幅方向とは、高さ方向以外の横方向を意味し、例えば奥行き方向を含む。
愛玩動物用トレーの凸壁は、トレーの全周に形成されてもよいし、一部であってもよい。
トレー幅を調整可能に構成するとは、複数の板材を重ね合わせるときに幅調整ができるが一旦幅調整をした後はその幅に固定される場合、及び一旦特定の幅に設定した後再び別の幅に調整できる場合の両方の場合を含む。
なお、本発明に係る愛玩動物用トレーは、サークルの下方に設置する他、単独で床面に設置して使用することができるのはいうまでもない。
【０００８】
（２）また、本発明に係る愛玩動物用トレーは、サークルの下方に設置する愛玩動物用トレーであって、トレー幅を調整可能に構成されていることを特徴とするものである。
【０００９】
（３）また、上記（２）に記載のものにおいて、幅方向に調整機能を有するサークルの下方に設置する愛玩動物用トレーであって、前記サークルの幅方向の調整ピッチと前記愛玩動物用トレーの幅方向の調整ピッチが同一のピッチに設定されていることを特徴とするものである。
【００１０】
（４）また、上記（１）〜（３）のいずれかに記載のものにおいて、愛玩動物用トレーは複数の凹凸部を有する板材からなり、これら複数の板材の一部を重ね合わせて凹凸を嵌合させて連結するように構成されていることを特徴とするものである。
【発明の効果】
【００１１】
本発明の愛玩動物用トレーにおいては、トレー幅を調整可能に構成されているので、伸縮機能を有するサークルの下方に設置したときに、サークルの伸縮幅に合わせて幅を調整できる。
【発明を実施するための最良の形態】
【００１２】
図１、図２は愛玩動物用トレー１の説明図である。図１に示すように愛玩動物用トレー１は上トレー３と下トレー５の２枚のトレーから構成される。上トレー３と下トレー５には共に矩形の山谷からなる凹凸部７が形成されている。また、上トレー３と下トレー５の３辺の周縁部には凸壁６が形成されている。
そして、図２に示すように、上トレー３と下トレー５の一部を重ね合わせて凹凸部７を嵌合させることで両者を接合することで周縁部に凸壁６を有する愛玩用動物トレー１が形成される。上トレー３と下トレー５における重ね合わせる長さによって、トレーの幅を自在に設定できる。
図３は、トレーの幅を最も広くした状態を示す斜視図、図４はトレーの幅を最も狭くした状態を示す斜視図である。
【００１３】
図５は上トレー３と下トレー５を組み合わせた状態の平面図、図６は底面図、図７は図６における矢視Ａ-Ａ部の拡大図、図８は図７における矢視Ｂ-Ｂ断面図、図９は図７における矢視Ｃ-Ｃ断面図である。
以下、図５〜図９に基づいて凹凸部７の形状を説明する。
上トレー３と下トレー５の凹凸部７は、上トレー３を下トレー５に重ねたときに互いに嵌合できる形状になっている。
また、凹凸部はその軸方向の一部に凸部１０の側壁を内側に入り込ませることによってくびれ部９を形成している。このくびれ部９は、愛玩動物用トレー１を底面から見たとき現れる（図６、図７参照）。図８は、くびれ部９のない部分の断面を示しており、図９はくびれ部９のある部分の断面を示している。くびれ部９のない部分では、図８に示すように凸部１０の側壁はほぼ垂直になっているが、くびれ部９が形成されている部分では、図９に示されるように、凸部１０の側壁が内側に傾斜している。
【００１４】
このように凹凸部７にくびれ部９を設けることによって、上トレー３と下トレー５の凹凸部７を嵌合させたときに両者が強固に連結できるという効果が得られる。このようにすることで、例えば、愛玩動物用トレー１の清掃時にトレーを移動させようとした際に上トレー３と下トレー５が容易に分離することを防止し、トレー内に残っていた尿などがこぼれてしまうのを防止できる。
なお、凹凸部７の高さは概ね７ｍｍ〜８ｍｍにするのが好ましい。愛玩動物の快適性を考えると凹凸部７の高低差は低い方が好ましいが、上トレー３と下トレー５の連結を強固にする観点から一定の高さが必要であり、両者の調和の観点から上記の高さに設定したものである。
【００１５】
上記のような本実施の形態に係る愛玩動物用トレーは、図１０に示すように、伸縮機能を有する愛玩動物用サークル１１の下方に設置して使用することができる。以下においては、図１０に示した伸縮機能を有する愛玩動物用サークル１１について説明する。
【００１６】
図１１は本発明の一実施の形態に係る愛玩動物用サークルの斜視図、図１２は同じく本実施の形態に係る愛玩動物用サークルの分解斜視図である。
本実施の形態に係る愛玩動物用サークル１１は、図１１、図１２に示すように、愛玩動物の出入り口となる第１扉１３を備えた第１前面パネル１５と、第１前面パネル１５の後方側に第１前面パネル１５に一部を重ねて配置された第２前面パネル１７と、トイレなどの出し入れのための第２扉体１９を備えた右側面パネル２１と、左側面パネル２３と、第１前面パネル１５の後方に配置された第１後面パネル２５と、第１後面パネル２５の後方に一部を重ねて配置された第２後面パネル２７と、を備えて構成される。
以下、これらの各構成部材を、参照図面を示しつつ詳細に説明する。
【００１７】
＜第１前面パネル＞
第１前面パネル１５は、矩形の木枠に線材を設置して構成されている。パネルの左側には線材からなる第１扉１３が形成されている。第１扉１３は右側の縦辺２９を回動軸として手前に回動して開放できるようになっており、第１扉１３の左側には第１扉１３を閉止状態でロックする鍵３０が設けられている。
第１前面パネル１５の木枠を構成する枠上辺部材３１及び枠下辺部材３３の裏面側には第２前面パネル１７と連結固定するための連結用の穴（図２６参照）が設けられている。
【００１８】
＜第２前面パネル＞
第２前面パネル１７は、図１２に示すように、枠上辺部材３５、枠下辺部材３７、枠上辺部材３５と枠下辺部材３７の右端部を上下に連結する枠端縦辺部材３９、枠上辺部材３５と枠下辺部材３７の中間部を上下に連結する枠中縦辺部材４１とからなる枠体と、その枠内に線材を設置して構成されている。そして、図１３に示すように、枠中縦辺部材４１の図中左側の線材からなる柵体４３が取り外し可能になっている。すなわち、柵体４３は、図１３に示すように、周形状が矩形状に形成されるとともに上下辺にそれぞれ３本の足部４５が延出して設けられ、この足部４５が枠体に挿入されるようになっている。そして、上側の両端の足部を固定ネジ４７で固定しており、柵体４３を取り外す時には固定ネジ４７を外すようにする。
また、第２前面パネル１７の枠上下辺部材２５、２７には第１前面パネル１５との連結をするための連結穴４９が所定のピッチで複数設けられている。
【００１９】
＜右側面パネル＞
右側面パネル２１は、図１４に示すように、矩形の枠体５３の枠内に線材からなる柵体を設置して構成される。柵体は上下に２分割され、下側の柵体５５がその上辺５９を回動軸として回動して枠内の下半分を開閉する第２扉体１９になっている。第２扉体１９の下辺部の左右２箇所にはロック部材６３が設けられている。図１５はロック部材６３の説明図であり、図１５（ａ）が正面図、図１５（ｂ）が側面図である。ロック部材６３は、本体部６５と、本体部６５にスライド可能に保持されたスライド部材６７から構成されている。本体部６５はスライド部材６７を保持する保持部６９と、保持部６９にネジ７１で結合されると共に柵体５５に溶接された固定部７３からなる。スライド部材６７は、太い線材を矩形リング状に屈曲して形成され、挿入片部７５と引掛け片部７７を備えている。
第２扉体１９の閉止時においては、スライド部材６７を下方にスライドさせて挿入片部７５を枠体５３の下辺部材に設けたロック穴７９に挿入する。これによって、第２扉体１９の回動が規制される。
第２扉体１９の開放時には、引掛け片部７７を上側の柵体５７の線材に引掛けることにより、第２扉体１９を開放状態で保持する。
【００２０】
図１６〜図１８は、第２扉体１９の開放動作の説明図である。図１６に示すように、扉を開ける時は、スライド部材６７を上方に引き上げ、挿入片部７５をロック穴７９から抜き出す。この状態で、図１７に示すように、第２扉体１９を手前側に引き上げることにより、上辺５９を回動軸として回動させて扉を開ける。そして、図１８に示すように、第２扉体１９を上側の柵体５７に重なる状態にして、スライド部材６７を下方に押し下げる。これによって、図１９に示すように、スライド部材６７の引掛け片部７７が上側の柵体５７の横線材に係止して第２扉体１９の回動を規制する。このように、ロック部材６３は第２扉体１９の閉止時には第２扉体１９が開くのをロックし、第２扉体１９の開放時には第２扉体１９を開放状態で保持するように機能する。
なお、図１９は右側面パネル２１をサークル内側から見た状態を示している。
【００２１】
＜左側面パネル＞
左側面パネル２３は、矩形状の枠体８１の枠内に線材からなる柵体８３を設置してなるものである。左側面パネル２３には右側面パネル２１に設けたような扉は設けられていないが、右側面パネル２１と左側面パネル２３は互いに配置を入れ替えることができる。
【００２２】
＜第１後面パネル＞
第１後面パネル２５は矩形状の枠体８５の枠内に線材からなる柵体８７を設置してなる。枠体８５を構成する枠上辺部材８９及び枠下辺部材９１の外側面にはパネル連結用の連結穴が設けられている。
【００２３】
＜第２後面パネル＞
第２後面パネル２７は、第１後面パネル２５と同様に、矩形状の枠体９３の枠内に線材からなる柵体９５を設置してなる。第２後面パネル２７の枠体９３を構成する枠上辺部材９７及び枠下辺部材９９には第１後面パネル２５との連結をするための連結穴が複数設けられている。
【００２４】
上記のように構成された各パネルを連結してサークルを組み立てる方法を説明する。図２０、図２１はサークルの組み立て方法の説明図であり、左側面パネル２３と第１後面パネル２５の接合方法を示している。
左側面パネル２３の枠体８１の下端部には延出部１０１が形成され、そこにダボ１０３が設けられている。他方、第１後面パネル２５の枠体８５の下端部には、延出部１０１に係合するようにＬ型の切欠き部１０５が形成され、そこにダボ１０３が嵌合するダボ穴１０７が設けられている。図２０に示すように、左側面パネル２３と第１後面パネル２５を両者が直角になるように配置してダボ穴１０７にダボ１０３を挿入する。そして、図２１に示すように、第１後面パネル２５の枠体から左側面パネル２３の枠体に固定ネジ１０９をねじ込むことで両者を固定する。他のパネル同士の接合も同様に行う。
【００２５】
上述した方法によって、図２２に示すように、左側面パネル２３の両側に、左側面パネル２３と直角に第１前面パネル１５および第１後面パネル２５を接合し、平面視でコ字状になる第１囲い１１１を形成する。
また、図２３に示すように、右側面パネル２１の両側に、右側面パネル２１と直角に第２前面パネル１７および第２後面パネル２７を接合し、平面視でコ字状になる第２囲い１１３を形成する。
【００２６】
第１囲い１１１の開口側と第２囲い１１３の開口側を対向させ、図１１に示すように、第１前面パネル１５と第２前面パネル１７とを一部を重ね、第１後面パネル２５と第２後面パネル２７の一部を重ねるようにして固定ネジによって連結することでサークルが完成する。このとき、重ね合わせの長さを調整することによって、サークルの幅を調整できる。
図２４は、サークルの幅を最も狭くした状態の斜視図、図２５は最も幅を広くした状態の斜視図である。図２４に示す状態では、第１前面パネル１５の第１扉１３の後方に第２前面パネル１７の枠中縦辺部材４１よりも左側の柵体４３が配置されることになり、第１扉１３を開放したときに第２前面パネル１７の柵体４３が邪魔になる。そこで、このようにサークルの幅を狭めるときには、図１３に示すように、柵体４３を取り外すようにする。こうすれば、第１扉１３を開放したときに柵体４３が邪魔にならず、サークル内への動物の出し入れが可能になる。
【００２７】
図２６は、サークルの幅調整の態様の説明図であり、図２６（ａ）〜（ｄ）の４つの態様を示している。図２６においては、第１前面パネル１５の上部と、第２前面パネル１７の上部、連結時の状態の上部を、サークル内側から見た状態を示している。第１前面パネル１５の枠上辺部材３１には左右の端部にそれぞれ１個の連結穴、図中右端（組み立てた状態では中央部になる）の連結穴の隣に後述する第２前面パネル１７に設ける連結穴のピッチと同じ長さだけ離れた位置に連結穴が一つ設けられている。さらに、枠上辺部材３１のほぼ中央部に１個の連結穴が設けられている。
一方、第２前面パネル１７の枠上辺部材３５には一定のピッチで複数の連結穴が設けられている。
【００２８】
図２６（ａ）は、サークルの幅を最も狭くした場合を示している。この場合、前述したように、第２前面パネル１７の内側の柵体４３を取り外す。この場合、図２６（ａ）の連結時の状態を示す図に示すように、第１前面パネル１５と第２前面パネル１７を重ね、両パネルの両端部の連結穴に固定ネジを挿入して固定する。図中、固定ネジを挿入する位置を矢印で示している。
この例では、サークル幅が９０ｃｍになる。
【００２９】
図２６（ｂ）は、サークル幅が中間状態の場合を示している。この場合は、第１前面パネル１５については、右端と中央の連結穴を使用し、第２前面パネル１７は左端と中央の連結穴を使用する。このときのサークル幅は、１２２ｃｍとなる。
なお、図２６（ａ）の状態から図２６（ｂ）の状態に至るまでに、サークルの幅は第２前面パネル１７に設けた連結穴のピッチで調整できる。その場合、第１前面パネル１５側の連結穴は図２６（ｂ）と同じ穴を使用する。他方、第２前面パネル１７側は、使用する右側の穴を、右端から２番目、３番目・・・と、順次左側に移動させる。
【００３０】
図２６（ｃ）は、図２６（ｂ）よりも、１ピッチ分だけサークル幅を広くした状態である。この段階からは取り外してあった第２前面パネル１７の柵体４３を取り付けるようにする。そして、第１前面パネル１５側では右端の２個の連結穴を使用し、第２前面パネル１７側では、中央の連結穴とその左隣の連結穴を使用する。このときのサークル幅は１２８．４ｃｍとなっている。
図２６（ｃ）の状態よりもサークル幅を広げる場合には、第１前面パネル１５は右端の２個の連結穴を使用し、第２前面パネル１７は順次左側へ移動させていく。
図２６（ｄ）は、サークル幅を最も広くした状態を示している。このとき、第１前面パネル１５は右端の２個の連結穴を使用し、第２前面パネル１７は左端の２個の連結穴を使用する。この場合のサークル幅は、１５４ｃｍとなる。
【００３１】
以上のように、本実施の形態においては、サークル幅を第２前面パネル１７に設けた連結穴のピッチに合わせて伸縮できるので、以下のような利点がある。
・愛玩動物の成長に応じて適切な収容空間にできる。
・愛玩動物の種類、例えば大型犬、小型犬などを問わず使用できる。
・設置場所に応じて幅を変更できるので、設置場所を選ばない。
このような利点があることから、サークルの購入者にとっては、従来例のように幅が固定のタイプでは種々の条件を考慮して特定の大きさのサークルを選定しなければならず、その選定作業だけでも煩雑であるところ、本実施の形態のように幅調整が自在にできるものであれば、種々の条件を考慮した煩雑な選定作業が不要になるというメリットもある。
【００３２】
上記のような愛玩動物用サークル１１の下方に愛玩動物用トレー１を置く場合には、愛玩動物用トレー１は、サークルの伸縮に合わせて伸縮できるようにする。すなわち、凹凸部７の幅方向のピッチを愛玩動物用サークル１１の幅調整のピッチに合わせる。このようにすることによって、サークルの幅に合わせた幅調整が容易にできる。
【００３３】
なお、上記の愛玩動物用サークルにおいては、第１前面パネル１５と第２前面パネル１７を幅調整可能にしたときに第１前面パネル１５の扉部分と第２前面パネル１７が重なる場合において、第１扉１３の後方を開けるために第２前面パネル１７の柵体４３を取り外すようにした。
第１前面パネル１５の第１扉１３の部分と第２前面パネル１７が重なる場合において、第１扉１３の後方を開ける方法としては、重なる部分の柵体４３を取り外す他、当該部分の柵体４３をスライド可能に取り付けておいて横方向にずらすとか、あるは柵体４３の一辺を回動軸として回動させるなどの方法であってもよい。
【００３４】
なお、本発明の愛玩動物用トレーは愛玩動物用サークルの下方に設置する他、伸縮機能を有する他の用途のサークルの下方に設置して使用できる。
また、サークルの下方に設置するのではなく、単独で使用できることも言うまでもない。この場合であっても、設置スペースに合わせて幅調整できるので便宜である。
【図面の簡単な説明】
【００３５】
【図１】発明の一実施の形態に係る愛玩動物用トレーの説明図である。
【図２】発明の一実施の形態に係る愛玩動物用トレーの説明図である。
【図３】発明の一実施の形態に係る愛玩動物用トレーの幅を最も広くした状態の斜視図である。
【図４】発明の一実施の形態に係る愛玩動物用トレーの幅を最も狭くした状態の斜視図である。
【図５】発明の一実施の形態に係る愛玩動物用トレーの平面図である。
【図６】発明の一実施の形態に係る愛玩動物用トレーの底面図である。
【図７】図６の矢視Ａ-Ａ拡大図である。
【図８】図７の矢視Ｂ-Ｂ断面図である。
【図９】図７の矢視Ｃ-Ｃ断面図である。
【図１０】一実施の形態に係る愛玩動物用トレーの上に愛玩動物用サークルを設置した状態を示す図である。
【図１１】一実施の形態に係る愛玩動物用サークルの斜視図である。
【図１２】一実施の形態に係る愛玩動物用サークルの分解斜視図である。
【図１３】一実施の形態に係る愛玩動物用サークルを構成する第２前面パネルの説明図である。
【図１４】一実施の形態に係る愛玩動物用サークルを構成する右側面パネルの説明図である。
【図１５】図１４に示した右側面パネルに設置されたロック部材の説明図である。
【図１６】一実施の形態に係る愛玩動物用サークルを構成する右側面パネルの動作説明図である。
【図１７】一実施の形態に係る愛玩動物用サークルを構成する右側面パネルの動作説明図である。
【図１８】一実施の形態に係る愛玩動物用サークルを構成する右側面パネルの動作説明図である。
【図１９】図１５に示したロック部材の動作説明図である。
【図２０】一実施の形態に係る愛玩動物用サークルの組み立て方法の説明図である。
【図２１】一実施の形態に係る愛玩動物用サークルの組み立て方法の説明図である。
【図２２】一実施の形態に係る愛玩動物用サークルの組み立て方法の説明図である。
【図２３】一実施の形態に係る愛玩動物用サークルの組み立て方法の説明図である。
【図２４】一実施の形態に係る愛玩動物用サークルの幅を最も狭くした状態の斜視図である。
【図２５】一実施の形態に係る愛玩動物用サークルの幅を最も広くした状態の斜視図である。
【図２６】一実施の形態に係る愛玩動物用サークルの幅調整方法の説明図である。
【符号の説明】
【００３６】
１  愛玩動物用トレー
３  上トレー
５  下トレー
６  凸壁
７  凹凸部
１１  愛玩動物用サークル
【図１】
2008118932.tif 000003
【図２】
2008118932.tif 000004
【図３】
2008118932.tif 000005
【図４】
2008118932.tif 000006
【図５】
2008118932.tif 000007
【図６】
2008118932.tif 000008
【図７】
2008118932.tif 000009
【図８】
2008118932.tif 000010
【図９】
2008118932.tif 000011
【図１０】
2008118932.tif 000012
【図１１】
2008118932.tif 000013
【図１２】
2008118932.tif 000014
【図１３】
2008118932.tif 000015
【図１４】
2008118932.tif 000016
【図１５】
2008118932.tif 000017
【図１６】
2008118932.tif 000018
【図１７】
2008118932.tif 000019
【図１８】
2008118932.tif 000020
【図１９】
2008118932.tif 000021
【図２０】
2008118932.tif 000022
【図２１】
2008118932.tif 000023
【図２２】
2008118932.tif 000024
【図２３】
2008118932.tif 000025
【図２４】
2008118932.tif 000026
【図２５】
2008118932.tif 000027
【図２６】
2008118932.tif 000028